(57)【特許請求の範囲】
【請求項１】
４−フェノキシフェニル  ２−（２−ピリジルオキシ）プロピル  エーテルと２−（２，６−ジフルオロフェニル）−４−（２−エトキシ−４−ターシャリーブチルフェニル）−２−オキサゾリンとを有効成分として含有することを特徴とする殺虫・殺ダニ剤組成物。
【請求項２】
４−フェノキシフェニル  ２−（２−ピリジルオキシ）プロピル  エーテルと２−（２，６−ジフルオロフェニル）−４−（２−エトキシ−４−ターシャリーブチルフェニル）−２−オキサゾリンとの重量比が１００：１〜１：３０の範囲である請求項１に記載の殺虫・殺ダニ剤組成物。
【請求項３】
請求項１または２に記載の殺虫・殺ダニ剤組成物を害虫の生息場所に処理することを特徴とする殺虫・殺ダニ方法。
【請求項４】
請求項１または２に記載の殺虫・殺ダニ剤組成物を農林業害虫が寄生する植物またはその近傍に処理することを特徴とする植物保護方法。
【発明の詳細な説明】
【０００１】
【発明の属する技術分野】
本発明は殺虫・殺ダニ剤組成物に関するものである。
【０００２】
【従来の技術および発明が解決しようとする課題】
農林業害虫や衛生害虫等の各種害虫の防除を目的とする殺虫・殺ダニ剤の開発は広く進められ、多種多様な薬剤が実用に供されている。しかしながら、従来の殺虫・殺ダニ剤には致死効力、速効性、残効性のバランスが欠けている場合があったり、特定の害虫種または害虫の特定の生育ステージに対する効果が低い場合がある等、必ずしも満足する効果をあげているとは言い難く、より優れた殺虫・殺ダニ剤の開発が望まれている。
【０００３】
【課題を解決するための手段】
本発明者らは、上記の状況に鑑み、鋭意検討した結果、４−フェノキシフェニル  ２−（２−ピリジルオキシ）プロピル  エーテルと２−（２，６−ジフルオロフェニル）−４−（２−エトキシ−４−ターシャリーブチルフェニル）−２−オキサゾリンとを有効成分として含有する殺虫・殺ダニ剤組成物が、農林業害虫や衛生害虫等を防除するに際し、各々の化合物を単独で施用した場合に比して予測できない高い殺虫・殺ダニ効果を示し、優れた速効性と残効性を発揮し、上述の問題点を解決し得ることを見出し本発明に至った。
即ち、本発明は、４−フェノキシフェニル  ２−（２−ピリジルオキシ）プロピル  エーテル（以下、化合物Ａと記す。）と、２−（２，６−ジフルオロフェニル）−４−（２−エトキシ−４−ターシャリーブチルフェニル）−２−オキサゾリン（以下、化合物Ｂと記す。）とを有効成分として含有する殺虫・殺ダニ剤組成物（以下、本発明組成物と記す。）、本発明組成物を害虫の生息場所に処理する殺虫・殺ダニ方法及び本発明組成物を農林業害虫が寄生する植物またはその近傍に処理する植物保護方法を提供する。
【０００４】
【発明の実施の形態】
化合物Ａは特公平５−６４１４０号公報に記載された化合物（一般名：ピリプロキシフェン）であり、化合物Ｂは国際出願公開明細書ＷＯ９３／２２２９７号に記載された化合物（一般名：エトキサゾール）である。
【０００５】
本発明組成物は、農林業害虫や衛生害虫等の広範囲の害虫の防除剤として適用できる。本発明組成物により防除し得る害虫の具体例としては下記のものが挙げられる。
【０００６】
半翅目害虫：ヒメトビウンカ（Laodelphax striatellus）、トビイロウンカ（Nilaparvata lugens）、セジロウンカ（Sogatella furcifera)等のウンカ類、ツマグロヨコバイ（Nephotettix cincticeps）、タイワンツマグロヨコバイ（Nephotettix virescens）等のヨコバイ類、ワタアブラムシ（Aphis gossypii）、モモアカアブラムシ（Myzus persicae）、ミカンミドリアブラムシ（Aphis citricola）、ニセダイコンアブラムシ（Lipaphis pserudobrassicae）、ナシミドリオオアブラムシ（Nippolachnus piri）コミカンアブラムシ（Toxoptera aurantii）、ミカンクロアブラムシ（Toxoptera ciidius）等のアブラムシ類、アオクサカメムシ（Nezara antennata）、ホソハリカメムシ（Cletus punctiger）、ホソヘリカメムシ（Riptortus clavetus）、チャバネアオカメムシ（Plautia stali）等のカメムシ類、オンシツコナジラミ（Trialeurodes vaporariorum）、タバココナジラミ（Bemisia tabaci）、シルバーリーフコナジラミ（Bemisia argentifolii）等のコナジラミ類、アカマルカイガラムシ（Aonidiella aurantii）、サンホーゼカイガラムシ（Comstockaspis perniciosa）、シトラススノースケール（Unaspis citri）、クワシロカイガラムシ（Pseudaulacaspis pentagona）、オリーブカタカイガラムシ（Saissetia oleae）、ミカンノカキカイガラムシ（Lepidosaphes beckii）、ルビーロウムシ（Ceroplastes rubens）、イセリヤカイガラムシ（Icerya purchasi）等のカイガラムシ類、グンバイムシ類、キジラミ類等。
【０００７】
鱗翅目害虫：ニカメイガ（Chilo suppressalis）、コブノメイガ（Cnaphalocrocis medinalis）、ヨーロピアンコーンボーラー（Ostrinia nubilalis）、シバツトガ（Parapediasia teterrella）、ワタノメイガ（Notarcha derogata）、ノシメマダラメイガ（Plodia interpunctella）等のメイガ類、ハスモンヨトウ（Spodoptera litura）、アワヨトウ（Pseudaletia separata）、ヨトウガ（Mamestra brassicae）、タマナヤガ（Agrotis ipsilon）、トリコプルシア属、ヘリオティス属、ヘリコベルパ属等のヤガ類、モンシロチョウ（Pieris rapae）等のシロチョウ類、アドキソフィエス属、ナシヒメシンクイ（Grapholita molesta）、コドリンガ（Cydia pomonella）等のハマキガ類、モモシンクイガ（Carposina niponensis）等のシンクイガ類、リオネティア属等のハモグリガ類、リマントリア属、ユープロクティス属等のドクガ類、コナガ（Plutella xylostella）等のスガ類、ワタアカミムシ（Pectinophora gossypiella）等のキバガ類、アメリカシロヒトリ（Hyphantria cunea）等のヒトリガ類、イガ（Tinea translucens）、コイガ（Tineola bisselliella）等のヒロズコガ類等。
双翅目害虫：アカイエカ（Culex pipiens pallens）、コガタアカイエカ（Culex tritaeniorhynchus）等のイエカ類、（Aedes aegypti）、（Aedes albopictus）等のエーデス属、（Anopheles sinensis）等のアノフェレス属、ユスリカ類、イエバエ（Musca domestica）、オオイエバエ（Muscina stabulans）等のイエバエ類、クロバエ類、ニクバエ類、ヒメイエバエ類、タネバエ（Delia platura）、タマネギバエ（Delia antiqua）等のハナバエ類、ミバエ類、ショウジョウバエ類、チョウバエ類、ブユ類、アブ類、サシバエ類、ハモグリバエ類等。
鞘翅目害虫：ウエスタンコーンルームワーム（Diabrotica virgifera virgifera）、サザンコーンルートワーム（Diabrotica undecimpunctata howardi）等のコーンルートワーム類、ドウガネブイブイ（Anomala cuprea）、ヒメコガネ（Anomala rufocuprea）等のコガネムシ類、メイズウィービル（Sitophilus zeamais）、イネミズゾウムシ（Lissorhoptrus oryzophilus）、アルファルファタコゾウムシ（Hypera pastica）、アズキゾウムシ（Callosobruchuys chienensis）等のゾウムシ類、チャイロコメノゴミムシダマシ（Tenebrio molitor）、コクヌストモドキ（Tribolium castaneum)等のゴミムシダマシ類、ウリハムシ（Aulacophora femoralis)、キスジノミハムシ（Phyllotreta striolata）、コロラドハムシ（Leptinotarsa decemlineata）等のハムシ類、シバンムシ類、ニジュウヤホシテントウ（Epilachna vigintioctopunctata）等のエピラクナ類、ヒラタキクイムシ類、ナガシンクイムシ類、カミキリムシ類、アオバアリガタハネカクシ（Paederus fuscipes）等。
【０００８】
ゴキブリ目害虫：チャバネゴキブリ（Blattella germanica）、クロゴキブリ（Periplaneta fuliginosa）、ワモンゴキブリ（Periplaneta americana）、トビイロゴキブリ（Periplaneta brunnea）、トウヨウゴキブリ（Blatta orientalis）等。
アザミウマ目害虫：ミナミキイロアザミウマ（Thrips palmi）、ネギアザミウマ（Thrips tabaci）、ハナアザミウマ（Thrips hawaiiensis）、チャノキイロアザミウマ（Scirtothrips dorsalis）、ヒラズハナアザミウマ（Frankliniella intonsa）、ミカンキイロアザミウマ（Frankliniella occidentalis）、カキクダアザミウマ（Ponticulothrips diospyrosi）等。
膜翅目害虫：アリ類、スズメバチ類、アリガタバチ類、ニホンカブラバチ（Athalia japonica）等のハバチ類等。
直翅目害虫：ケラ類、バッタ類等。
隠翅目害虫：ネコノミ（Ctenocephalides felis）、イヌノミ(Ctenocephalides canis)、ヒトノミ（Pulex irritans）等。
シラミ目害虫：コロモジラミ（Pediculus humanus corporis）、ケジラミ (Phthirus pubis)等。
シロアリ目害虫：ヤマトシロアリ（Reticulitermes speratus）、イエシロアリ（Coptotermes formosanus）等。
ダニ目害虫：ナミハダニ（Tetranychus urticae）、カンザワハダニ（Tetranychus kanzawai）、ミカンハダニ（Panonychus citri）、リンゴハダニ（Panonychus ulmi）、オリゴニカス属等のハダニ類、ミカンサビダニ（Aculops pelekassi）、チャノサビダニ（Calacarus carinatus）等のフシダニ類、チャノホコリダニ（Polyphagotarsonemus latus）等のホコリダニ類、ヒメハダニ類、ケナガハダニ類、ヤマトチマダニ（Haemaphysalis japonica）、キチマダニ（Haemaphysalis flava）、フタトゲチマダニ（Haemaphysalis longicornis）、オウシマダニ（Boophils microplus）、ヤマトマダニ(Ixodes ovatus)、シュルツマダニ(Ixodes persulcatus) 等のマダニ類、ケナガコナダニ（Tyrophagus putrescentiae）等のコナダニ類、コナヒョウヒダニ(Dermatophagoides farinae)、ヤケヒョウヒダニ(Dermatophagoides ptrenyssnus)等のヒョウヒダニ類、ホソツメダニ(Cheyletus eruditus)、フトツメダニ(Cheyletus fortis) 、クワガタツメダニ(Cheyletus malaccensis)、ミナミツメダニ(Cheyletus moorei)等のツメダニ類、ワクモ類等。
線虫類：ミナミネグサレセンチュウ（Pratylenchus coffeae）、キタネグサレセンチュウ（Pratylenchus fallax）、チャネグサレセンチュウ（Pratylenchus loosi）、クルミネグサレセンチュウ（Pratylenchus vulnus）、ダイズシストセンチュウ（Heterodera glycines）、ジャガイモシストセンチュウ（Globodera rostochiensis）、キタネコブセンチュウ（Meloidogyne hapla）、サツマイモネコブセンチュウ（Meloidogyne incognita）等が挙げられる。
【０００９】
本発明組成物は、化合物Ａと化合物Ｂからのみからなるものであってもよいが、実用的には、各種の固体担体、液体担体、ガス状担体に本発明組成物を担持させ、必要に応じて界面活性剤、分散剤、固着剤、安定剤、噴射剤その他の製剤用補助剤を添加して、油剤、乳剤、水和剤、水中懸濁剤・水中乳濁剤等のフロアブル剤、マイクロカプセル剤、スポットオン、ポアオン、シャンプー製剤、粒剤、粉剤、エアゾール、ＵＬＶ剤、毒餌、シート製剤、樹脂製剤等に製剤化して使用するのが好ましい。
【００１０】
製剤化の際に用いられる固体担体としては、たとえば粘土類（カオリンクレー、珪藻土、合成含水酸化珪素、ベントナイト、フバサミクレー、酸性白土等）、タルク類、セラミック、その他の無機鉱物（セリサイト、石英、硫黄、活性炭、炭酸カルシウム、水和シリカ等）、化学肥料（硫安、燐安、硝安、尿素、塩安等）等の微粉末あるいは粒状物等があげられ、液体担体としては、たとえば水、アルコール類（メタノール、エタノール等）、ケトン類（アセトン、メチルエチルケトン等）、芳香族炭化水素類（ベンゼン、トルエン、キシレン、エチルベンゼン、メチルナフタレン等）、脂肪族炭化水素類（ヘキサン、シクロヘキサン、灯油、軽油等）、エステル類（酢酸エチル、酢酸ブチル等）、ニトリル類（アセトニトリル、イソブチロニトリル等）、エーテル類（ジイソプロピルエーテル、ジオキサン等）、酸アミド類（Ｎ，Ｎ−ジメチルホルムアミド、Ｎ，Ｎ−ジメチルアセトアミド等）、ハロゲン化炭化水素類（ジクロロメタン、トリクロロエタン、四塩化炭素等）、ジメチルスルホキシド、大豆油、綿実油等の植物油等があげられる。
ガス状担体としては、たとえばフルオロカーボン、ブタンガス、ＬＰＧ（液化石油ガス）、ジメチルエーテル、炭酸ガス等があげられる。
【００１１】
界面活性剤としては、たとえばアルキル硫酸エステル塩、アルキルスルホン酸塩、アルキルアリールスルホン酸塩、アルキルアリールエーテル類およびそのポリオキシエチレン化物、ポリエチレングリコールエーテル類、多価アルコールエステル類、糖アルコール誘導体等があげられる。
固着剤や分散剤等の製剤用補助剤としては、たとえばカゼイン、ゼラチン、多糖類（でんぷん粉、アラビアガム、セルロース誘導体、アルギン酸等）、リグニン誘導体、ベントナイト、糖類、合成水溶性高分子（ポリビニルアルコール、ポリビニルピロリドン、ポリアクリル酸類等）等があげられ、安定剤としては、たとえばＰＡＰ（酸性りん酸イソプロピル）、ＢＨＴ（２，６−ジ−ターシャリーブチル−４−メチルフェノール）、ＢＨＡ（２−ターシャリーブチル−４−メトキシフェノールと３−ターシャリーブチル−４−メトキシフェノールとの混合物）、植物油、鉱物油、界面活性剤、脂肪酸またはそのエステル等があげられる。
【００１２】
毒餌の基材としては、たとえば穀物粉、植物油、糖、結晶セルロース等の餌成分、ジブチルヒドロキシトルエン、ノルジヒドログアイアレチン酸等の酸化防止剤、デヒドロ酢酸等の保存料、トウガラシ粉末等の誤食防止剤、チーズ香料、タマネギ香料、ピーナッツオイルなどの誘引剤等があげられる。
樹脂剤の基材としては、例えば、オレフィン系重合体、塩化ビニル系重合体、ポリウレタン等を挙げることができ、これらの基材には必要に応じてフタル酸エステル類、ステアリン酸等の可塑剤、フェロモン等の害虫誘引物質、害虫を誘引する色を呈する色素・顔料等を添加することができる。樹脂製剤は、例えば該基材中に本発明組成物を通常の混練装置を用いて混練した後、射出成型、押出成型、プレス成型等により成型することにより得られる。また、本発明組成物を含まない基材に有効成分化合物を含浸、塗布、印刷等により担持させることもできる。本発明組成物を含浸、塗布、印刷等の操作を行なう際には、予め有効成分化合物を油剤、乳剤、懸濁剤などの製剤またはその希釈液として用いてもよい。このようにして得られる樹脂製剤は必要により更に成型、裁断等の工程を経ることにより、板状、フィルム状、テープ状、網状、ひも状に加工することができ、マルチシート、誘引ひも、園芸用支柱、シート剤、包装用フィルム、動物用首輪、動物用イヤータッグとすることもできる。
【００１３】
フロアブル剤（水中懸濁剤または水中乳濁剤）の製剤は、一般に１〜７５％の本発明化合物を０．５〜１５％の分散剤、０．１〜１０％の懸濁助剤（たとえば、保護コロイドやチクソトロピー性を付与する化合物）、０〜１０％の適当な補助剤（たとえば、消泡剤、防錆剤、安定化剤、展着剤、浸透助剤、凍結防止剤、防菌剤、防黴剤等）を含む水中で微小に分散させることによって得られる。水の代わりに化合物がほとんど溶解しない油を用いて油中懸濁剤とすることも可能である。
保護コロイドとしては、たとえばゼラチン、カゼイン、ガム類、セルロースエーテル、ポリビニルアルコール等が用いられる。チクソトロピー性を付与する化合物としては、たとえばベントナイト、アルミニウムマグネシウムシリケート、キサンタンガム、ポリアクリル酸等があげられる。
【００１４】
本発明組成物は、夫々の有効成分を上述の製剤手法により製剤した後、これらを混合することにより調製することもでき、また、施用時に混用または併用することもできる。
本発明組成物における化合物Ａと化合物Ｂとの混合割合は、厳密に制限されるものではなく、剤型や用途等に応じて広範囲にわたって変えることができるが、通常、化合物Ａの１重量部に対して化合物Ｂは０．０１〜３０重量部、好ましくは０．５〜１０重量部の範囲内であり、また、組成物中の化合物Ａと化合物Ｂとの合計の含有量は一般に０．０１〜９０重量％、好ましくは０．１〜８０重量％の範囲内である。
【００１５】
本発明組成物は、他の殺虫剤、殺線虫剤、殺ダニ剤、殺菌剤、除草剤、植物生長調節剤、共力剤、肥料、土壌改良剤、動物用飼料等と混用または併用することもできる。かかる殺虫剤、殺ダニ剤、殺線虫剤としては、例えば、ペルメトリン、シペルメトリン、フェンバレレート、エスフェンバレレート、フェンプロパスリン、ビフェントリン、デルタメスリン、フルバリネート、フルシトリネート、アレスリン、ｄ−アレスリン、プラレトリン、サイフェノトリン、フェノトリン、レスメトリン、テフルトリン、エムペントリン、アクリナトリン、シハロトリン、サイフルトリン、エトフェンプロックス、ハルフェンプロックス、シラフルオフェン、トラロメトリン、シクロプロトリン、エスビオスリン、トランスフルスリン、テラレスリン、イミプロトリン、１−エチニル−２−フルオロ−２−ペンテニル  ３−（２，２−ジクロロビニル）−２，２−ジメチルシクロプロパンカルボキシラート等のピレスロイド化合物、シアノフォス、フェンチオン、フェニトロチオン、パラチオン、メチルパラチオン、ピリミホスメチル、ダイアジノン、イソキサチオン、ピリダフェンチオン、クロルピリホス、クロルピリホスメチル、オキシデプロフォス、バミドチオン、マラチオン、フェントエート、ジメトエート、チオメトン、ジスルフォトン、ホサロン、ホスメット、メチダチオン、プロチオホス、スルプロホス、プロフェノホス、アジンホスメチル、ピラクロホス、サリチオン、テトラクロルビンホス、ジクロルボス、モノクロトホス、ナレド、ジメチルビンホス、プロパホス、アセフェート、メタミドホス、エチオン等の有機リン系化合物、カルバリル、メトルカルブ、イソプロカルブ、フェノブカルブ、プロポクスル、ＸＭＣ、エチオフェンカルブ、ベンダイオカルブ、ピリミカーブ、カルボスルファン、カルボフラン、ベンフラカルブ、フラチオカルブ、メソミル、チオジカルブ、オキサミル、アラニカルブ、メトキサジアゾン、フェノチオカルブ等のカーバメート系化合物、ニトロイミノイミダゾリジン誘導体、Ｎ−［（６−クロロ−３−ピリジルメチル）−Ｎ−エチル−Ｎ'−メチル−２−ニトロビニリデンジアミン（一般名：ニテンピラム）等のニトロビニリデンジアミン誘導体、１−メチル−２−ニトロ−３−［（３−テトラヒドロフリル）メチル］グアニジン等のニトログアニジン誘導体、Ｎ1−［（６−クロロ−３−ピリジル）メチル］−Ｎ2−シアノ−Ｎ1−メチルアセトアミジン（一般名：アセタミプリド）等のシアノアセトアミジン誘導体、１−（２−クロロ−５−ピリジルメチル）−２−シアノイミノチアゾリン（一般名：チアクロプリド）等のシアノイミノチアゾリジン誘導体、３−［（２−クロロ−５−チアゾリル）メチル］−５−メチル−４−ニトロイミノテトラヒドロ−１，３，５−オキサジアジン（一般名：チアメトキサム）等のニトロイミノテトラヒドロ−１，３，５−オキサジアジン誘導体、３，５−ジメチル−１−［（２−クロロ−５−チアゾリル）メチル］−２−ニトロイミノヘキサヒドロ−１，３，５−トリアジン等のニトロイミノヘキサヒドロ−１，３，５−トリアジン誘導体等のネオニコチノイド類、カルタップ、ベンスルタップ、チオシクラム等のネライストキシン誘導体、ベンゾエピン、ジコホル、テトラジホン等の塩素化炭化水素化合物、アミトラズ、クロルジメホルム等のホルムアミジン誘導体、エチプロール等のフェニルピラゾール誘導体、ジフルベンズロン、テフルベンズロン、クロルフルアズロン、フルフェノクスロン、トリフルムロン、ヘキサフルムロン、ルフェヌロン、ノバルロン等のベンゾイルフェニルウレア系化合物、シロマジン等のトリアジン誘導体、ブプロフェジン等のチアジアジン誘導体、メソプレン、ヒドロプレン、フェノキシカルブ、ジオフェノラン等のジュベノイド化合物、テブフェノジド、メトキシフェノジド、ハロフェノジド、クロマフェノジド、クロルフェナピル、フェニソブロモレート、キノメチオネート、プロパルギット、酸化フェンブタスズ、ヘキシチアゾクス、クロフェンテジン、ピリダベン、フェンピロキシメート、テブフェンピラド、ピリミジフェン、ポリナクチンコンプレックス、ミルベメクチン、アベルメクチン、イバーメクチン、アザディラクチン等があげられる。
【００１６】
本発明組成物を農林業害虫の防除用として施用する場合、通常その施用量は、１０アールあたり、有効成分量の総計で１ｇから１０００ｇの範囲であり、好ましくは１０ｇから１００ｇの範囲であり、乳剤、水和剤、フロアブル剤等を水で希釈して用いる場合は、その施用濃度は通常、有効成分の総計で１０ppm〜１０００ppmであり、粒剤、粉剤等はそのまま施用する。これらの製剤は害虫から保護すべき作物等の植物に茎葉散布してもよいが、これらの製剤を土壌に処理することにより、土壌に棲息する害虫を防除することもできる。また、シート状やひも状等の製剤に加工した本発明組成物を植物に直接巻き付けたり、植物の近傍に設置したり、株元の土壌表面に敷くなどして施用することもできる。
また、本発明の組成物を衛生害虫等の防除用として施用する場合には、乳剤、水和剤、フロアブル剤等は通常水で有効成分の総計が０．０１ppm〜１００００ppmになるように希釈して施用し、油剤、エアゾール、燻煙剤、ＵＬＶ剤、毒餌等はそのまま施用する。イヌ、ネコ等の小動物の外部寄生虫を防除するために動物体に直接本発明組成物を処理する場合、獣医学的に公知の方法で、例えば全身的抑制（Ｓｙｓｔｅｍｉｃ  ｃｏｎｔｒｏｌ）を目的とする場合では、錠剤、試料混入、坐薬、注射（筋肉内、皮下、静脈内、腹腔内等）等により、非全身的抑制（ｎｏｎ−ｓｙｓｔｅｍｉｃ  ｃｏｎｔｒｏｌ）を目的とする場合では、油性または水性液剤を噴霧、ポアオン、スポットオン処理、あるいはシャンプー製剤、首輪や耳札等の樹脂製剤を使用する。このような動物体に直接施用する場合、通常、宿主動物１ｋｇに対して、有効成分量の総計で０．１ｍｇから５００ｍｇの範囲である。
これらの施用量、施用濃度は、いずれも製剤の種類、施用時期、施用場所、施用方法、害虫の種類、被害程度等の状況によって異なり、上記の範囲にかかわることなく増減させることができる。
【００１７】
【実施例】
次いで、本発明を製剤例及び試験例等によりさらに詳しく説明するが、本発明はこれらの例に限定されるものではない。尚、部は重量部である。
【００１８】
製剤例１  乳剤
化合物Ａ５部、化合物Ｂ１０部、ポリオキシエチレンアルキルアリールエーテル８部、アルキルアリールスルホン酸ナトリウム２部およびキシレン７５部を均一に混合して乳剤を得る。
製剤例２  水和剤
化合物Ａ５部、化合物Ｂ１０部、アルキルベンゼンスルホン酸ナトリウム３部、リグニンスルホン酸ナトリウム３部およびおよび硅藻土７９部をジェットエアーミルで均一に混合粉砕して水和剤を得る。
製剤例３  粉剤
化合物Ａ１部、化合物Ｂ１部、タルク４８部およびクレー５０部を均一に混合粉砕して粉剤を得る。
製剤例４  フロアブル剤
ポリオキシエチレンスチリルフェニルエーテルサルフェート塩５部、１％ザンサンガム水溶液２０部、スメクタイト系鉱物３部および水５７部を均一に溶解し、化合物Ａ５部、化合物Ｂ１０部を加えてよく攪拌した後、サンドミルにて湿式粉砕してフロアブル剤を得る。
製剤例５  マイクロカプセル剤
化合物Ａ５部、化合物Ｂ５部、フェニルキシリルエタン１０部およびスミジュールＬ−７５（住友バイエルウレタン株式会社社製トリレンジイソシアネート）０．５部を混合した後、アラビアガムの１０％水溶液２０部中に加え、ホモミキサーで攪拌して、平均粒径２０μｍのエマルションを得る。次に、これにエチレングリコール２部を加え、さらに６０℃の温浴中で２４時間反応させてマイクロカプセルスラリーを得る。一方、ザンサンガム０．２部、ビーガムＲ（三洋化成株式会社製アルミニウムマグネシウムシリケート）１．０部をイオン交換水５６．３部に分散させて増粘剤溶液を得る。
上記マイクロカプセルスラリー４２．５部および増粘剤溶液５７．５部を混合して、１０％マイクロカプセル剤を得る。
【００１９】
製剤例６  油剤
化合物Ａ０．１部、化合物Ｂ０．１部をキシレン５部およびトリクロロエタン５部に溶解し、これを脱臭灯油８９．８部に混合して油剤を得る。
製剤例７  毒餌
化合物Ａ５ｍｇ、化合物Ｂ５ｍｇをアセトン０．５ｍｌに溶解し、この溶液を動物用固型飼料粉末（飼育繁殖用固型飼料粉末ＣＥ−２：日本クレア株式会社製）５ｇに均一に混合した後、アセトンを風乾し、毒餌を得る。
製剤例８  樹脂剤
ポリエチレン樹脂（スミカセン：住友化学製）９８部に対して、化合物Ａ１部、化合物Ｂ１部を加圧ニーダーで混練した後、ペレット化する。該ペレットをインフレーションフィルム製造装置によって160℃〜180℃で押し出し、０．１ｍｍ厚のフィルム状樹脂剤を得る。
製剤例９  加熱燻煙剤
化合物Ａ５０ｍｇ、化合物Ｂ５０ｍｇを適量のアセトンに溶解し、４．０ｃｍ×４．０ｃｍ、厚さ１．２ｃｍの多孔セラミック板に含浸させて、加熱燻煙剤を得る。
【００２０】
次に、本発明組成物が殺虫・殺ダニ剤の有効成分として有用であることを試験例により示す。
【００２１】
試験例１：  ワタアブラムシ（Aphis gossypii）に対する殺虫試験
３葉期のポット植えキャベツに、ワタアブラムシ２０頭を接種した。これに、化合物Ａの市販品（商品名ラノー乳剤：住友化学工業株式会社製）、化合物Ｂの市販品（商品名バロックフロアブル：八洲化学工業株式会社製）、および、該化合物Ａ市販品と該化合物Ｂ市販品の混合物の所定濃度の水希釈液をスプレーガンを用いて均一に散布した。風乾後のポットは温室内に設置した。処理後の所定日にキャベツ上のワタアブラムシの虫数を調査した。結果を表１に示す。
【００２２】
【表１】
0004350266.tif 000002
【００２３】
試験例２：  シルバーリーフコナジラミ（Bemisia argentifolii）に対する殺虫試験
シルバーリーフコナジラミの１齢幼虫が寄生したキャベツ幼苗に、化合物Ａの市販品（商品名ラノー乳剤：住友化学工業株式会社製）、化合物Ｂの市販品（商品名バロックフロアブル：八洲化学工業株式会社製）、および、該化合物Ａ市販品と該化合物Ｂ市販品の混合物の所定濃度の水希釈液をスプレーガンを用いて均一に散布した。風乾後のキャベツ幼苗は１株ずつ網ケージに入れて温室内で保管した。散布１６日後に、羽化成虫数を数えた。結果を表２に示す。
【００２４】
【表２】
0004350266.tif 000003
【００２５】
【発明の効果】
本発明組成物は優れた殺虫・殺ダニ効力を有する。